(57)【特許請求の範囲】
【請求項１】
上下のフランジ間にウェブが備えられた鉄骨梁の上下のフランジ間に、プレートが、ウェブと直交しかつ上下のフランジと直交する方向を向いて備えられた、鉄骨梁に対するプレートの取付け構造において、
前記プレートは、フランジと向き合う両辺がそれぞれフランジに溶接で接合されると共に、ウェブと向き合う辺には、該辺の高さ方向の中央部を含む中間部をウェブに溶接させないための切欠き部が一つ設けられ、この切欠きを挟む両部がウェブに溶接で接合されていることを特徴とする鉄骨梁に対するプレートの取付け構造。
【請求項２】
前記プレートが小梁連結用のプレートからなり、このプレートは、小梁をつなぐ領域部分に局部的に補強プレートが重ねられ一体的に取り付けられて局部補強されている請求項１に記載の鉄骨梁に対するプレートの取付け構造。
【発明の詳細な説明】
【０００１】
【発明の属する技術分野】
本発明は、鉄骨梁に対するプレートの取付け構造に関する。
【０００２】
【従来の技術】
図３（イ）（ロ）（ハ）に示すように、鉄骨造建物のＨ形鋼からなる大梁５１に対し、プレート５２を、大梁５１の上下のフランジ５１ａ，５１ａ間において、ウェブ５１ｂと直交しかつ上下のフランジ５１ａ，５１ａと直交する方向に向け、上下のフランジ５１ａ，５１ａとウェブ５１ｂとに溶接Ｗで接合し、このプレート５２の突出板部５２ｂに小梁５３のウェブ５３ｂをボルト５４…で接合することで、大梁５１にプレート５２を介して小梁５３を連結することがある。
【０００３】
例えばそのような場合に、従来は、同図（ハ）に示すように、大梁５１の上下のフランジ５１ａ，５１ａとウェブ５１ｂとに向き合うプレート５２の三辺をその全長にわたって溶接Ｗすることが行われていた。
【０００４】
【発明が解決しようとする課題】
しかしながら、上記のように、プレート５２の三辺の略全長を溶接Ｗするのでは溶接長が非常に長くなってしまい、コストアップを招くという問題がある。
【０００５】
そこで、必要性のないあるいは少ない部分の溶接は排除して、溶接作業者に必要最小限度の長さだけ溶接させるように、マーキングなどによって指示を与えることも考えられるが、そのような指示だけでは、溶接しなくともよい部分を誤って溶接してしまったり、溶接しなければならない部分を誤って溶接しなかったりするおそれがないではない。
【０００６】
また、プレート５２を小梁５３の取付けに用いる場合には、大梁５１と小梁５３の接合部の耐力を確保するため、プレート５２はその全体が肉厚大に設計されており、そのため、プレート５２の全体重量が必要性を越えて大きなものになってしまうという問題もあった。
【０００７】
本発明は、上記のような従来の問題点に鑑み、鉄骨梁へのプレートの溶接においてその溶接長を短くすることができ、しかも、それを確実に行わせることができ、また、小梁をプレートに連結する場合のプレートの軽量化を図ることができる鉄骨梁に対するプレートの取付け構造を提供することを課題とする。
【０００８】
【課題を解決するための手段】
上記の課題は、上下のフランジ間にウェブが備えられた鉄骨梁の上下のフランジ間に、プレートが、ウェブと直交しかつ上下のフランジと直交する方向を向いて備えられた、鉄骨梁に対するプレートの取付け構造において、
前記プレートは、フランジと向き合う両辺がそれぞれフランジに溶接で接合されると共に、ウェブと向き合う辺にはその中間部に切欠き部が設けられ、この切欠きを挟む両部がウェブに溶接で接合されていることを特徴とする鉄骨梁に対するプレートの取付け構造によって解決される。
【０００９】
この取付け構造では、プレートにはウェブと向き合う辺の中間部において切欠き部が設けられているから、この切欠き部は、プレートを鋼材に組み付けた状態でウェブから離れた状態となり、溶接作業者は、この切欠き部分を避けて溶接を行っていく。そのため、この切欠き部の存在によってプレートの溶接長を短くしてコストダウンを図ることができ、しかも、溶接作業者は、特段の指示を受けなくとも切欠き部の有無を確認することで溶接する部分と溶接しない部分とをまちがいなく判別することができて、溶接作業者に溶接する必要のある部分のみを確実に溶接させることができる。
【００１０】
前記プレートが小梁連結用のプレートからなり、このプレートは、小梁をつなぐ領域部分に局部的に補強プレートが重ねられ一体的に取り付けられて局部補強されている場合には、プレートの全体重量を小さくすることができる。即ち、プレートを一枚物で構成する場合には、プレートの小梁をつなぐ部分を厚肉にするために全体を厚肉にする必要があるが、補強プレートを用い小梁をつなぐ部分のみを局部的に補強プレートで厚肉にすることにより、他の部分を薄肉にすることができて、補強プレートを含むプレート全体の重量を小さくすることができる。
【００１１】
【発明の実施の形態】
次に、本発明の実施形態を図面に基づいて説明する。
【００１２】
図１（イ−１）（イ−２）（ロ）（ハ）に示す第１実施形態の取付け構造において、１は鉄骨の大梁、２はプレート、３は鉄骨の小梁であり、大梁１と小梁３はそれぞれＨ形鋼梁からなっており、プレート２は小梁３を大梁４に連結する小梁連結用のもので鋼板からなっている。
【００１３】
プレート２は、その基板部２ａが、大梁１の上下のフランジ１ａ，１ａ間に、ウェブ１ｂと直交しかつ上下のフランジと直交する方向を向いて、ウェブ１ｂと上下のフランジ１ａ，１ａとに囲まれた内部にしっくりと配置することができるようになっており、ウェブ１ｂと向き合う辺には、その中間部に切欠き部５が設けられ、この切欠き部５においてプレート２はウェブ１ｂの面から離間するようになされている。なお、プレート２の加工はアイトレーサーなどで行うので、プレート２がこのような切欠き部５を備えていても加工費が特別高くつくということはない。
【００１４】
また、プレート２には、基板部２ａの上半部において、大梁１のフランジ１ａ，１ａよりも外方に突出する突出板部２ｂが一体に備えられ、この突出板部２ｂに、小梁３をつなぐボルト通孔６…が明けられている。
【００１５】
プレート２は、図１（ロ）に示すように、大梁１のウェブ１ｂと上下のフランジ１ａ，１ａとに囲まれた内部に配置され、図１（ハ）に示すように、その基板部２ａの上下両辺が上下のフランジ１ａ，１ａと溶接Ｗされ、ウェブ１ｂと向き合う辺については、切欠き部５を挟む上下両側がウェブ１ｂと溶接Ｗされている。
【００１６】
この溶接において、溶接作業者は、プレート２の切欠き部５の存在によって、ウェブ１ｂと向き合う部分においては、ウェブ１ｂと突き合わせ状態になるのは切欠き部５を挟む上下両側であることをおのずと認識し、この上下両側のみを溶接Ｗすることとなる。この切欠き部５の深さ寸法は、そこに切欠き部５が存在しているということを溶接作業者に認識させるだけのものであってもよいが、ウェブ１ｂと溶接しようとしても溶接できないような深さ寸法に設定されているのが特によい。
【００１７】
なお、小梁３は、こうして大梁１にプレート２を溶接した後に、そのウェブ３ｂをプレート２の突出板部２ｂにボルト４で接合することにより大梁１と連結される。
【００１８】
このように、上記のプレート取付け構造では、プレート２に、ウェブ１ｂと向き合う辺の中間部において切欠き部５が設けられているので、その部分を溶接しないことにより、大梁１に対するプレート２の溶接長を短くしてコストダウンを図ることができ、しかも、この切欠き部５の存在によって、溶接作業者に溶接する部分と溶接しない部分とを間違いなく判別させることができ、溶接する必要のある部分のみを確実に溶接させることができる。
【００１９】
図２（イ）（ロ）（ハ）に示す第２実施形態は、プレート２の肉厚寸法が第１実施形態の場合よりも小さく設定されており、かつ、プレート２の突出板部２ｂからその基端側の基板部２ａに及ぶ範囲に局部的に補強プレート７が重ねられ、この補強プレート７がプレート２と溶接Ｗで一体化されてプレート２の局部補強がなされている。これにより、第１実施形態の場合のように小梁３の連結のためにプレート２として厚肉寸法のものを用いる場合に比べて、プレート２と補強プレート７とを含むプレート全体の重量を小さくすることができ、その軽量化を図ることができる。
【００２０】
以上に、本発明の実施形態を示したが、本発明はこれに限られるものではなく、発明思想を逸脱しない範囲で、各種の変更が可能である。例えば、上記の実施形態では、小梁３をプレート２を介して大梁１に連結する場合の大梁１へのプレート２の取付け構造を示しているが、単に、梁にその補強のためにプレートを溶接で取り付ける場合の取付け構造に用いられてもよい。また、鉄骨梁は、Ｈ形鋼梁に限られるものではなく、組立てによる鋼梁や溝形鋼梁などであってもよく、要は、上下のフランジ間にウェブが備えられたものであればよいことはいうまでもない。
【００２１】
【発明の効果】
本発明は、以上のとおりのものであるから、鉄骨梁へのプレートの溶接において溶接長を短くすることができ、しかも、それを確実に行わせることができる。また、プレートを小梁の連結に用いる場合には、必要な耐力を確保しながらプレートを軽量化することができる。
【図面の簡単な説明】
【図１】取付け構造の第１実施形態を示すもので、図（イ−１）はプレートの正面図、図（イ−２）は同斜視図、図（ロ）はプレートを大梁に組み付けた状態の断面側面図、図（ハ）はプレートを大梁に溶接し、プレートに小梁をボルト接合で連結した状態の断面側面図である。
【図２】取付け構造の第２実施形態を示すもので、図（イ）はプレートの斜視図、図（ロ）はプレートを大梁に組み付けた状態の断面側面図、図（ハ）はプレートを大梁に溶接し、プレートに小梁をボルト接合で連結した状態の断面側面図である。
【図３】従来の取付け構造を示すもので、図（イ）はプレートの斜視図、図（ロ）はプレートを大梁に組み付けた状態の断面側面図、図（ハ）はプレートを大梁に溶接し、プレートに小梁をボルト接合で連結した状態の断面側面図である。
【符号の説明】
１…大梁（鉄骨梁）
１ａ…フランジ
１ｂ…ウェブ
２…プレート
２ｂ…突出板部
３…小梁
５…切欠き部
７…補強プレート
【図１】
0003878477.tif 000002
【図２】
0003878477.tif 000003
【図３】
0003878477.tif 000004